(57)【要約】【課題】天場カバーが障害物に接触する虞を少なくし、また天場処理ロータから飛散する土の量を低減可能な畦塗り機を提供する。【解決手段】畦塗り機１は、走行機体に装着されて走行機体の走行位置に対して側方にオフセットした位置に配置され、旧畦の天場を切り崩す天場処理ロータ４１を備え、走行機体の走行に伴って進行しながら畦塗り作業を行う。天場処理ロータ４１は、その回転中心軸４１ａの延びる方向が畦塗り機１の進行方向と交差する方向に配置され、このロータの上方から側方が天場カバー４７で覆われる。天場カバー４７のうちの天場処理ロータ４１の外周を覆う外カバー部４７ｂは、機体進行方向前側に向かって天場処理ロータ４１の回転中心軸側に傾斜し、且つ外カバー部４７ｂの左右方向外側端部は、畦塗り作業時における進行方向と略平行に延びる。【選択図】  図４
2014057526.tif 000002
【特許請求の範囲】
【請求項１】
走行機体に機体の前部が装着され、前記走行機体の走行位置に対して側方にオフセットした位置に配置され、旧畦の天場を切り崩す複数の耕耘爪を有して前記機体に回転自在に支持された天場処理ロータを備え、前記走行機体の走行に伴って進行しながら畦塗り作業を行う畦塗り機であって、
前記天場処理ロータは、その回転中心軸の延びる方向が前記畦塗り機の進行方向と交差する方向に配置され、
前記天場処理ロータには、前記耕耘爪の先端部の回転軌跡の上方から側方に延びる天場カバーが設けられ、
前記天場カバーは、前記耕耘爪の前記回転軌跡に沿って延びるとともに機体進行方向前側に向かって前記天場処理ロータの回転中心軸側に傾斜し、且つ畦塗り作業時において進行方向に対する左右方向外側端部が進行方向と略平行に延びている
ことを特徴とする畦塗り機。
【請求項２】
走行機体に機体の前部が装着され、前記走行機体の走行位置に対して側方にオフセットした位置に配置され、旧畦の天場を切り崩す複数の耕耘爪を有して前記機体に回転自在に支持された天場処理ロータを備え、前記走行機体の走行に伴って進行しながら畦塗り作業を行う畦塗り機であって、
前記天場処理ロータには、前記耕耘爪の先端部の回転軌跡の上方から側方に延びる天場カバーが設けられ、
前記天場カバーは、前記耕耘爪の前記回転軌跡に沿って延びるとともに、機体進行方向前側に向かって前記天場処理ロータの回転中心軸側に傾斜している
ことを特徴とする畦塗り機。
【請求項３】
前記天場処理ロータは、一端側が前記機体に回動自在に接続され他端側が上下方向に揺動自在な動力伝達フレームの他端側に回転自在に支持されている
ことを特徴とする請求項１又は２に記載の畦塗り機。
【請求項４】
前記天場カバーは、その左右方向外側端部のみが機体進行方向前側に向かって前記天場処理ロータの回転中心軸側に傾斜している
ことを特徴とする請求項１又は２に記載の畦塗り機。
【発明の詳細な説明】
【技術分野】
【０００１】
本発明は、水田を区画する旧畦を畦塗り修復して新畦を形成する畦塗り機に関する。
【背景技術】
【０００２】
このような畦塗り機は、トラクタ等の走行機体の後部に装着されて、走行機体からの動力を受けて駆動され、旧畦に沿って移動しながら旧畦を整形して新畦を形成するものである。この畦塗り機は、旧畦を切り崩して土盛りを行う前処理部と、前処理部によって盛られた土を切り崩された旧畦上に塗り付ける整畦部とを主要な構成として備えている。
【０００３】
この畦塗り機では、旧畦の上面に雑草等が繁茂し、また旧畦の上面が固くなっているような場合、その上に新畦を形成しようとすると、旧畦と新畦との境界が分離し易くなり、形成後に新畦が崩れ易くなる虞がある。このため、旧畦の上面（天場）を切り崩す複数の耕耘爪を有した天場処理ロータを前処理部の進行方向前方に設けて、天場処理された旧畦の上面に新畦を形成する畦塗り機が開発されている（特許文献１参照）。
【０００４】
この特許文献１に記載の畦塗り機は、畦塗り作業時に前処理部の回転中心軸が進行方向に対して鋭角に交差する方向に延び、この回転中心軸の前側端部に伝動フレームが上下方向に回動自在に接続され、この伝動フレームの先端部に天場処理ロータが回転自在に支持されている。天場処理ロータは、伝動フレームに内蔵された動力伝達機構を介して動力が伝達されて回転する。伝動フレームには、天場処理ロータの上下位置を調整するとともに、天場処理ロータに作用する力を吸収可能な上下位置調整機構が接続されている。
【０００５】
天場処理ロータには、この上方から側方を覆う天場カバーが設けられている。天場カバーは、天場処理ロータの後側を覆う後カバー部と、後カバー部の上端部に繋がって耕耘爪の先端部の回転軌跡の上方から回転軌跡に沿って側方に延びる外カバー部と、外カバー部の前側端部に繋がって天場処理ロータの前側上部を覆う前カバー部とを有して形成されている。
【０００６】
前カバー部は、外カバー部の前側端部から天場処理ロータの回転中心側へ延びているが、その長さは天場処理ロータの回転中心軸までの距離と比較して短い。このため、天場処理ロータの前側には大きな開口部が形成されている。これは、旧畦の天場に雑草が生えている場合、天場処理ロータの前側に大きな開口部がないと、雑草を天場処理ロータ側に引き込むことができなり、雑草によって天場処理ロータが旧畦の天場の上方へ押し上げられて、天場処理ロータによる天場処理作業ができなくなる虞を防止するためである。
【先行技術文献】
【特許文献】
【０００７】
【特許文献１】特開２０１２−１２０４４２号公報（図２参照）
【発明の概要】
【発明が解決しようとする課題】
【０００８】
この従来の畦塗り機は、畦塗り作業時において天場処理ロータの回転中心軸の延びる方向が進行方向に対して鋭角に交差する方向に延びているので、回転中心軸が進行方向と略平行に延びる場合と比較して、天場カバーの左右方向端部の出っ張りが大きく、天場カバーの端部が障害物等に接触して損傷する虞がある。
【０００９】
また、天場処理ロータが回転すると、耕耘爪によって旧畦の天場を削ることができるが、削った土の一部は天場カバーの前側に開口する開口部を通って進行方向前方へ飛散する。この飛散する土が走行機体や畦塗り機に付着して汚す。
【００１０】
本発明は、このような問題に鑑みてなされたものであり、天場カバーが障害物等に接触して損傷する虞を少なくし、また、天場処理ロータから飛散する土の量を低減可能な畦塗り機を提供することを目的とする。
【課題を解決するための手段】
【００１１】
上記目的を達成するために本発明の畦塗り機は、走行機体に機体（実施の形態における装着部１０）の前部が装着され、走行機体の走行位置に対して側方にオフセットした位置に配置され、旧畦の天場を切り崩す複数の耕耘爪を有して機体（実施の形態における天場動力伝動フレーム４２）に回転自在に支持された天場処理ロータを備え、走行機体の走行に伴って進行しながら畦塗り作業を行う畦塗り機であって、天場処理ロータは、その回転中心軸の延びる方向が畦塗り機の進行方向と交差する方向に配置され、天場処理ロータには、耕耘爪の先端部の回転軌跡の上方から側方に延びる天場カバー（実施の形態における外カバー部４７ｂ、４７ｂ'）が設けられ、天場カバーは、耕耘爪の回転軌跡に沿って延びるとともに機体進行方向前側に向かって天場処理ロータの回転中心軸側に傾斜し、且つ畦塗り作業時において進行方向に対する左右方向外側端部が進行方向と略平行に延びていることを特徴とする（請求項１）。
【００１２】
また、本発明は、走行機体に機体の前部が装着され、走行機体の走行位置に対して側方にオフセットした位置に配置され、旧畦の天場を切り崩す複数の耕耘爪を有して機体に回転自在に支持された天場処理ロータを備え、走行機体の走行に伴って進行しながら畦塗り作業を行う畦塗り機であって、天場処理ロータには、耕耘爪の先端部の回転軌跡の上方から側方に延びる天場カバーが設けられ、天場カバーは、耕耘爪の回転軌跡に沿って延びるとともに、機体進行方向前側に向かって天場処理ロータの回転中心軸側に傾斜していることを特徴とする（請求項２）。
【００１３】
また、本発明の天場処理ロータは、一端側が機体（実施の形態における連結軸６３）に回動自在に接続され他端側が上下方向に揺動自在な動力伝達フレーム（実施の形態における天場動力伝達フレーム４２）の他端側に回転自在に支持されていることを特徴とする（請求項３）。
【００１４】
本発明の天場カバー（実施の形態における外カバー部４７ｂ'）は、その左右方向外側端部のみが機体進行方向前側に向かって天場処理ロータの回転中心軸側に傾斜していることを特徴とする（請求項４）。
【発明の効果】
【００１５】
本発明に係わる畦塗り機によれば、上記特徴を有することで、天場カバーが障害物等に接触する虞を少なくし、また、天場処理ロータから飛散する土の量を低減可能な畦塗り機を提供することができる。
【図面の簡単な説明】
【００１６】
【図１】本発明の一実施の形態に係わる畦塗り機の平面図を示す。
【図２】一部を断面で示した作業部の部分断面平面部を示す。
【図３】畦塗り機の側面図を示す。
【図４】畦塗り機の正面図を示す。
【図５】天場カバーの他の実施形態を説明するための作業部の一部を示し、同図（ａ）は作業部の部分平面図であり、同図（ｂ）は作業部の部分側面図であり、同図（ｃ）は作業部の部分正面図である。
【発明を実施するための形態】
【００１７】
以下、本発明に係わる畦塗り機の好ましい実施の形態を図１〜図５に基づいて説明する。本実施の形態は、走行機体の前進走行に伴いながら進行して畦塗り作業を行なう畦塗り機を例にして説明する。
【００１８】
畦塗り機１は、図１（平面図）に示すように、走行機体９０の後部に設けられた三点リンク連結機構(図示せず)に連結されて、走行機体９０の前進走行に伴って進行する。畦塗り機１は、走行機体９０に装着されて走行機体９０からの動力が入力される入力軸１１ａを備えた装着部１０と、装着部１０に設けられた旋回シリンダ１３によって装着部１０に対して装着部幅方向（以下、「左右方向」と記す。）に揺動可能なオフセット機構部２０と、オフセット機構部２０の移動端側（後端側）に垂直方向に延びる回転駆動軸２１を回動支点として水平方向に回動可能に配設されて入力軸１１ａから伝達される動力によってオフセット作業を行なう作業部３０とを有してなる。
【００１９】
装着部１０の左右方向の中央下部にはギアボックス１１（図３参照）が設けられ、このギアボックス１１に前述した入力軸１１ａが設けられている。入力軸１１ａは、走行機体９０のＰＴＯ軸（図示せず）からの動力を図示しない伝動軸を介して伝達されるようになっている。
【００２０】
オフセット機構部２０は、前端側が装着部１０に回動自在に連結されて後方側へ延びるオフセットフレーム２２と、オフセットフレーム２２の右側に沿って並設されて前端側が装着部１０の右側に回動自在に連結されたリンク部材２３とを有してなる。リンク部材２３の後端側には、オフセットフレーム２２の後端部との間に連結された連結アーム部材２５が回動自在に取り付けられている。オフセット機構部２０は、オフセットフレーム２２、リンク部材２３、装着部１０及び連結アーム部材２５によって平行リンク機構を形成している。
【００２１】
オフセットフレーム２２は、前述した旋回シリンダ１３の伸縮により左右方向に揺動可能であり、オフセットフレーム２２内に設けられた図示しない動力伝達機構を介してオフセットフレーム２２の後端側に設けられて略垂直方向に延びる従動軸２２ａを回転駆動させるようになっている。この従動軸２２ａの下部には、作業部３０の回動中心軸となる前述した回転駆動軸２１が従動軸２２ａと同軸上に連結されている。
【００２２】
回転駆動軸２１の外側には、これを覆う回転軸ケース３２（図２参照）が設けられている。回転軸ケース３２の上端部は、オフセットフレーム２２の後端下部に回動可能に連結され、回転軸ケース３２の下端部に作業部３０が固定された状態で取り付けられている。また回転軸ケース３２の上部には、前述した連結アーム部材２５が回動自在に設けられている。
【００２３】
作業部３０は、連結アーム部材２５と回転軸ケース３２との間に接続された伸縮シリンダの伸縮により回動可能であるとともに、オフセット機構部２０の揺動に対して作業部３０の作業方向が走行機体９０の進行方向と平行に保持されるようになっている。
【００２４】
作業部３０は、畦塗り機１の進行方向前側から天場処理部４０、前処理部６０及び整畦部７０を配置して構成される。
【００２５】
整畦部７０は、図１及び図２に示すように、進行方向に対して左右方向に延びて回転自在に支持された回転中心軸７１に取り付けられた多面体ドラム７３と、多面体ドラム７３の右側端部に取り付けられて横方向に延びる円筒部７５を有してなる。整畦部７０は整畦動力伝達ケース７７を介して回転軸ケース３２に連結されて支持される。整畦動力伝達ケース７７内には図示しない整畦側動力伝達機構が内蔵され、この整畦側動力伝達機構は、回転駆動軸２１に繋がって回転駆動軸２１からの動力が整畦部７０に伝達可能に構成されている。
【００２６】
整畦動力伝達ケース７７は、前処理部６０に動力を伝達する前処理動力伝達ケース６２（図２参照）に沿って延び、整畦動力伝達ケース７７の前部が前処理動力伝達ケース６２の側部に上下方向に回動自在に支持され、整畦動力伝達ケース７７の後部に整畦部７０が接続支持されている。このため、整畦部７０は、整畦動力伝達ケース７７の前部を回動支点として上下方向に移動可能である。整畦動力伝達ケース７７には、これを上下方向に回動させるための電動式の油圧シリンダ７８（図１参照）が接続されている。この油圧シリンダ７８の伸縮に伴って整畦動力伝達ケース７７が上下方向に回動して整畦部７０を上下方向に移動させることができる。
【００２７】
前処理部６０は、図２に示すように、回転自在な前処理ロータ６１を備える。前処理ロータ６１は、前処理動力伝達ケース６２を介して回転軸ケース３２に連結支持されている。前処理動力伝達ケース６２内には、回転駆動軸２１からの動力を前処理ロータ６１に伝達する前処理側動力伝達機構６４が設けられている。前処理ロータ６１は、前処理側動力伝達機構６４に連結された前処理回転軸６１ａと、前処理回転軸６１ａに放射状に取り付けられた複数の耕耘爪６１ｂとを有してなる。
【００２８】
前処理ロータ６１はその前処理回転軸６１ａの延びる方向Ａが畦塗り機１の進行方向Ｂと交差する方向に延びた状態で配置されている。本実施例では、前処理回転軸６１ａの延びる方向Ａと畦塗り機１の進行方向Ｂとがなす角度θが約１５°の場合を示している。なお、角度θは１０°〜２０°程度であればよく、この角度を有することで前処理ロータ６１によって放てきされる土が整畦部７０で成形される旧畦側にスムースに流れ、良好な畦を形成することができる。また、旧畦側に寄せて切り崩すことができるので除々に畦幅が広くなるという不都合も発生しない。
【００２９】
前処理ロータ６１の上部にはこのロータの上部を覆う前処理カバー６１ｃが配設されている。前処理カバー６１ｃは、前処理動力伝達ケース６２に接続支持されている。
【００３０】
前処理カバー６１ｃの左右方向外側端部には、図３に示すように、前処理ロータ６１によって放てきされる土の飛散を防止する飛散防止カバー６６が平行リンク機構６７を介して上下方向に移動自在に設けられている。
【００３１】
天場処理部４０は、図２及び図４（正面図）に示すように、回転自在な天場処理ロータ４１を備える。天場処理ロータ４１は天場動力伝達フレーム４２を介して前処理ロータ６１の前処理回転軸６１ａから延びる連結軸６３を回動支点として上下方向に揺動自在に支持されている。天場処理ロータ４１はその回転中心軸４１ａに複数の耕耘爪４１ｂを放射状に取り付けて構成されて、耕耘爪４１ｂが旧畦の天場の外側から内側方向へ移動する方向（矢印Ｘ方向、図４参照）に回転する。天場動力伝達ケース４２内には、前処理ロータ６１からの動力を天場処理ロータ４１に伝達する天場側動力伝達機構が設けられている。
【００３２】
天場動力伝達フレーム４２は天場処理ロータ４１と前処理ロータ６１との間に配置されて天場処理ロータ４１の回転中心軸４１ａに対して直交する方向に延びる。天場動力伝達フレーム４２の移動端側は、回転軸ケース３２（図２参照）の上部から前側へ延びる支持部材３４（図３、図４参照）との間に設けられた附勢装置３１を介して上下位置調整可能に支持されている。支持部材３４は、前処理動力伝達ケース６２（図２参照）の上方をこのケースに沿って延びる。
【００３３】
天場処理ロータ４１の上部にはこのロータの上部を覆う天場カバー４７が配設されている。
【００３４】
次に、天場カバー４７について、図２、図３、図４を参照しながら説明する。天場カバーは、図４に示すように、天場処理ロータ４１の後部を覆う後カバー部４７ａと、後カバー部４７ａの上端部に繋がって耕耘爪４１ｂの先端部の回転軌跡の外側に回転軌跡に沿って左右両側方向に延びる外カバー部４７ｂと、外カバー部４７ｂの前側端部に繋がって天場処理ロータ４１の前側上部を覆う前カバー部４７ｃとを有してなる。
【００３５】
後カバー部４７ａは、上方が凸の略半円状に形成されて略垂直方向に延び、ボルト等を介して天場動力伝達フレーム４２に接続されている。外カバー部４７ｂは、耕耘爪４１ｂの先端部の回転軌跡の外側に配置され、後カバー部４７ａの上縁部に接続されて前方側へ延びるとともに、後カバー部４７ａの左右方向一端側から他端側に亘って形成されている。外カバー部４７ｂは、図３及び図４に示すように、その全体が機体進行方向前側に向かって天場処理ロータ４１の回転中心軸４１ａ側に傾斜している。
【００３６】
前カバー部４７ｃは、外カバー部４７ｂの前側端部から天場処理ロータ４１の回転中心軸４１ａ側へ延びているが、その長さＬ（図４参照）は天場処理ロータ４１の回転中心軸４１ａまでの距離Ｓ（図４参照）と比較して短い。このため、天場処理ロータ４１の前側には大きな開口部４８が形成されている。この開口部４８の大きさについては前述したので、その説明は省略する。
【００３７】
このように構成された天場処理部４０は、図２に示すように、天場処理ロータ４１の回転によって旧畦の天場を削る際に、削られた土が天場処理ロータ４１の回転にともなって外カバー部４７ｂの内面に衝突すると、矢印Ｃのように、この土は天場カバー４７の内側方向へ跳ね返される。
【００３８】
また、天場処理ロータ４１の回転中心軸４１ａ側へ傾斜する外カバー部４７ｂは、作業部３０が走行機体９０（図１参照）の側方に移動した作業位置Ｐｓに移動すると、外カバー部４７ｂの左右方向右側端部に位置する外カバー部４７ｂ'が畦塗り機１の進行方向Ｂと略平行に延びる。このため、外カバー部が二点鎖線で示すように回転中心軸４１ａ側に傾斜することなく回転中心軸４１ａの延びる方向と略平行に延びる場合と比較して、外カバー部４７ｂの右側方向への出っ張りを小さくすることができる。
【００３９】
このように、天場処理ロータ４１による天場処理の際に、天場処理ロータ４１によって削られた土は外カバー部４７ｂの内面に衝突して天場カバー４７の内側方向へ跳ね返されるので、開口部４８から外側へ飛び出す土の量を少なくすることができる。従って、走行機体９０や畦塗り機１が汚れる虞を低減することができ、前処理ロータ６１側への土の流れもスムースとなる。
【００４０】
また、作業部３０が作業位置Ｐｓに移動すると、外カバー部４７ｂの左右方向右側端部に位置する外カバー部４７ｂ'は進行方向Ｂと略平行に延びるので、外カバー部４７ｂ'の右側方向への出っ張りを小さくすることができる。このため、天場カバー４７が障害物（例えば、草等）に接触して損傷する虞を少なくすることができる。また、作業部３０が作業位置Ｐｓに移動すると、左右方向右側端部に位置する外カバー部４７ｂ'が進行方向Ｂに対して略平行に延びるので、天場処理部４０が天場動力伝達フレーム４２を介して上下方向に移動した場合でも、外カバー部４７ｂ'の向きを進行方向Ｂに対して略平行にすることができる。このため、旧畦の天場の条件に拘わらずに外カバー部４７ｂ'の向きを進行方向Ｂに対して略平行に維持することができ、天場処理部４０の上下位置が移動した場合でも、天場カバー４７が障害物に接触する虞が大きくなることはない。
【００４１】
なお、前述した実施例では、天場カバー４７の外カバー部４７ｂの全体が機体進行方向前側に向かって天場処理ロータ４１の回転中心軸４１ａ側に傾斜する場合を示したが、図５（ａ）（部分平面図）、図５（ｂ）（部分側面図）、図５（ｃ）（部分正面図）に示すように、外カバー部４７ｂのうち左右方向右側端部に位置する外カバー部４７ｂ'のみ天場処理ロータ４１の回転中心軸４１ａ側に傾斜するようにしてもよい。
【００４２】
つまり、外カバー部４７ｂのうち左右方向右側端部に位置する外カバー部４７ｂ'以外の外カバー部４７ｂ''は、機体進行方向前側に向かって天場処理ロータ４１の回転中心軸４１ａと略平行に延び、左右方向右側端部に位置する外カバー部４７ｂ'が天場処理ロータ４１の回転中心軸４１ａ側に傾斜するようにする。
【００４３】
このようにしても、外カバー部４７ｂ''は天場処理ロータ４１の上部に位置するので、天場処理ロータ４１によって削られた土のうち外カバー部４７ｂ''の内面に衝突する土は、外カバー部４７ｂ''の内面に衝突して跳ね返ってもその跳ね返り方向は前方斜め下方である。従って、跳ね返った土は、開口部４８を通っても圃場に戻されるので、走行機体９０（図１参照）や畦塗り機１に付着する虞はない。
【００４４】
一方、外カバー部４７ｂ'は天場処理ロータ４１の横に位置するので、天場処理ロータ４１によって削られた土のうち外カバー部４７ｂ'の内面に衝突する土は、前述したように、天場カバー４７の内側方向へ跳ね返される（図２参照）。このため、この土が走行機体９０や畦塗り機１に付着する虞もない。
【符号の説明】
【００４５】
１  畦塗り機
１０  装着部（機体）
４１  天場処理ロータ
４１ａ  回転中心軸
４１ｂ  耕耘爪
４２  天場動力伝達フレーム（機体、動力伝達フレーム）
４７ｂ、４７ｂ'  外カバー部（天場カバー）
６３  連結軸（機体）
９０  走行機体
【図１】
2014057526.tif 000003
【図２】
2014057526.tif 000004
【図３】
2014057526.tif 000005
【図４】
2014057526.tif 000006
【図５】
2014057526.tif 000007